(57)【特許請求の範囲】
【請求項１】
磁気回路と結合すると共にダンパの取り付けられたフレームに前記磁気回路と前記ダンパとの間の空間と外部とを連通する通路が形成されたスピーカであって、
前記通路は、その内方に開放し、前記磁気回路にて発生する磁束が通るように形成された凹部を有することを特徴とするスピーカ。
【請求項２】
前記フレームは、前記磁気回路に含まれるトッププレートに接合し、
前記通路の少なくとも一部は、前記フレームの前記トッププレートとの接合面に形成され、
前記凹部は、前記通路の内方に開放するように前記トッププレートの前記フレームとの接合面に形成されたことを特徴とする請求項１記載のスピーカ。
【請求項３】
前記トッププレートと前記フレームとの各接合面は、当該スピーカの径方向に対して傾斜していることを特徴とする請求項２記載のスピーカ。
【請求項４】
前記フレームは磁性材料で形成され、前記フレームの前記トッププレートとの接合面は、前記トッププレートに形成された前記凹部に張出す張出し部を有することを特徴とする請求項２または３に記載のスピーカ。
【発明の詳細な説明】
【技術分野】
【０００１】
本発明は、磁気回路と結合すると共にダンパの取り付けられたフレームに前記磁気回路と前記ダンパとの間の空間と外部とを連通する通路が形成されたスピーカに関する。
【背景技術】
【０００２】
従来、磁気回路とボイスコイルとの電磁作用によって振動板を振動させて音を放出するスピーカにおいて、ボイスコイルとの磁気作用に起因して磁気回路が高温になることを防止するために、フレームに通気孔を形成することが提案されている（例えば、特許文献１）。具体的には、磁気回路と結合すると共にダンパの取り付けられたフレームに前記磁気回路と前記ダンパとの空間と外部とを連通する通気孔（通路）が形成されている。この通気孔を通して流通する空気によって磁気回路を冷却することが可能となり、磁気回路の温度上昇を抑えることができるようになる。
【０００３】
また、通気孔を通して磁気回路とダンパとの間の空間と外部との間で空気の出入りが可能となることから、前記ダンパと磁気回路との間の空間の圧力を下げることも可能になる。これにより、前記空間の圧力が高くなることに起因してダンパの動作が妨げられることを有効に防止することができるようになる。
【０００４】
しかしながら、フレームに通気孔を形成すると、その通気孔を通して磁気回路とダンパとの間の空間に微細なゴミが進入するおそれがあり、そのような微細なゴミが進入するとスピーカの機能を損ねることとなる。特に、車両のドア等に内蔵される車載用のスピーカでは、通気孔を通して鉄粉が進入するおそれがある。このような鉄粉が磁気回路によって磁束の形成されているスピーカに進入することは特に問題である。
【０００５】
そこで、磁気回路とダンパとの間の空間において、通気孔の開口部から磁気ギャップに通じる通路を遮蔽部材にて遮蔽することが提案されている（例えば、特許文献２参照）。このように遮蔽部材を設けることにより、磁気ギャップへの微細なゴミや鉄粉の進入を防ぐことができ、スピーカの機能が損なわれることを防止することができるようになる。
【特許文献１】実開平１−７７０９２号公報
【特許文献２】特開２００２−２１８５８８号公報
【発明の開示】
【発明が解決しようとする課題】
【０００６】
しかしながら、前述したようにスピーカ内に遮蔽部材を設ける場合、その遮蔽部材によってスピーカの音響特性を損なうおそれがあるという新たな問題が生じ、また、スピーカの構造も複雑になる。
【０００７】
本発明は、特に鉄粉等の磁性材粉に着目し、フレームに形成された通路を通して磁気回路とダンパとの間の空間に磁性材粉が進入することをスピーカの音響特性を損なうことなく簡易な構造にて防止することのできるスピーカを提供するものである。
【課題を解決するための手段】
【０００８】
本発明に係るスピーカは、磁気回路と結合すると共にダンパの取り付けられたフレームに前記磁気回路と前記ダンパとの間の空間と外部とを連通する通路が形成されたスピーカであって、前記通路は、その内方に開放し、前記磁気回路にて発生する磁束が通るように形成された凹部を有する構成となる。
【０００９】
このような構成により、フレームに形成された通路に外部から磁性材粉が進入しても、その磁性材粉は、その通路の内方に開放する凹部を通る磁束によって吸引され、該凹部に捕えられるようになる。その結果、磁性材粉が前記通路を通って磁気回路とダンパとの間の空間に進入することを防止することができる。
【００１０】
また、本発明に係るスピーカにおいて、前記フレームは、前記磁気回路に含まれるトッププレートに接合し、前記通路の少なくとも一部は、前記フレームの前記トッププレートとの接合面に形成され、前記凹部は、前記通路の内方に開放するように前記トッププレートの前記フレームとの接合面に形成された構成とすることができる。
【００１１】
このような構成により、磁気回路の一部となるトッププレートに凹部が形成されるので、前記凹部に前記磁気回路にて発生する磁束を容易に通すことができるようになる。
【００１２】
更に、本発明に係るスピーカにおいて、前記トッププレートと前記フレームとの各接合面は、当該スピーカの径方向に対して傾斜している構成とすることができる。
【００１３】
このような構成により、磁気回路のトッププレートにて生じる磁束がその傾斜するフレームとの接合面で飽和状態になり易くなり、その接合面に形成された凹部に磁束をより密度高く通すことができるようになる。
【００１４】
また、本発明に係るスピーカにおいて、前記フレームは磁性材料で形成され、前記フレームの前記トッププレートとの接合面は、前記トッププレートに形成された前記凹部に張出す張出し部を有する構成とすることができる。
【００１５】
このような構成により、磁気回路の一部となるトッププレートに接合するフレームが磁性材料で形成されるので、そのフレームも磁気回路の一部として機能し得るようになる。これにより、凹部に張出す前記フレームの張出し部に磁束が集中し、磁性材粉を前記凹部により確実に捕えることができるようになる。
【発明の効果】
【００１６】
本発明に係るスピーカによれば、特に他の部材をスピーカ内に設けることなく、スピーカ本来の機能を発揮させるための磁気回路を利用してフレームに形成された通路に進入した磁性体粉を凹部にて捕えるようにしているので、フレームに形成された通路を通して磁気回路とダンパとの間の空間に磁性材粉が進入することをスピーカの音響特性を損なうことなく簡易な構造にて防止することができるようになる。
【発明を実施するための最良の形態】
【００１７】
以下、本発明の実施の形態について、図面を用いて説明する。
【００１８】
本発明の実施の一形態に係るスピーカは、図１に示すように構成される。
【００１９】
図１において、このスピーカは、ヨーク１０、リング状の磁石３０及びリング状のトッププレート２１を備えている。ヨーク１０は、円盤状の底部１１の中央部に円柱状の突出部１２が形成された構造となっている。ヨーク１０の底部１１に磁石２０が突出部１２を囲むように固定され、更に、磁石２０上にトッププレート２１がヨーク１０の突出部１２を囲むように固定されている。これらヨーク１０、磁石２０及びトッププレート２１によって磁気回路が構成される。そして、トッププレート２１上に前方に突出するホーン状のフレーム５０が固定されている。
【００２０】
フレーム５０は、取り付け底部５１と、取り付け底部５１の外周部に立設するように形成された筒状部５２と、筒状部５２の端部から前方に続き、前方に向って徐々に広がるホーン部５３と、ホーン部５３の外周縁に形成されたフランジ部５４とから構成されている。取り付け底部５１がトッププレート２１に接合するようにしてフレーム５０がトッププレート２１上に固着されている。
【００２１】
このスピーカは、更に、略円錐状となる振動板３０と、ボイスコイル４１がボビン４２の一端部に巻かれた構造となるボイスコイルユニット４０とを備えている。ボイスコイル４１がヨーク１０の突出部１２の外周面とトッププレート２１の内周面との間に形成された磁気ギャップＧ内に配置されるようにボビン４２の他端部が振動板３０の径方向内側部に固着されている。また、弾性部材からなるリング状の支持部材３１の径方向内側部と振動板３０の径方向外側部とが接着固定され、更に、支持部材３１の径方向外側部がフレーム５０のフランジ部５４に接着固定されている。即ち、径方向外側部がフレーム５０のフランジ部５４に接着固定された支持部材３１によって振動板３０の径方向外側部が前後方向に振動可能に支持された構造となっている。
【００２２】
また、合成樹脂や布等でリング状に形成されたダンパ３２の外周縁がフレーム５０の筒状部５２とホーン部５３との境界部位に形成された段部に固着されると共に、その内周部がボビン４２の所定部位に固着されている。このダンパ３２によって振動板１０の径方向への不所望な振動が規制されるようになる。なお、振動板３０上にはボビン４２を覆うように椀状のダストキャップ３３が設けられている。
【００２３】
フレーム５０の取り付け底部５１と筒状部５２との境界部には、磁気回路（ヨーク１０、磁石２０及びトッププレート２１）とダンパ３２との間の空間と外部とを連通する複数の（例えば、５個）の通路６０が所定角度間隔にて形成されている。トッププレート２１には、各通路６０の内方に開放する切り欠き凹部２１ａが形成されている。各通路６０の詳細な構造は、図２に示される。なお、図２は、図１におけるＡ部を詳細に示す断面図である。
【００２４】
図２において、トッププレート２１の外周部位には、径方向（図において左右方向）に対して傾斜する傾斜面２１ｂが形成さえており、その傾斜面２１ｂを含むトッププレート２１の面にフレーム５０の取り付け底部５１が接合している。フレーム５０の取り付け底部５１の筒状部５２との境界部には、トッププレート２１との接合面と逆側の面から当該接合面に向けて貫通する孔５５が形成されると共に、トッププレート２１との接合面にトッププレート２１に向けて開放する溝５６が筒状部５２の外周面から前記孔５５に続くように形成されている。フレーム５０の取り付け底部５１がトッププレート２１に接合することにより溝５６の開放面が覆われる。そして、その覆われた溝５６及びそれに続く孔５５によって、磁気回路とダンパ３２との間の空間と外部（フレーム５０の外部）とを連通する通路６０が形成される。
【００２５】
通路６０における溝５６と孔５５との境界部に対向するトッププレート２１の傾斜面２１ｂが切り欠かれることにより、その傾斜面２１ｂに通路６０の内方に開放する切り欠き凹部２１ａが形成される。また、フレーム５０における取り付け底部５１のトッププレート２１の傾斜面２１ｂとの接合面は、切り欠き凹部２１ａに張出した張出し部５１ａを有している（張出し部５１ａが形成されるように孔５５が形成される）。
【００２６】
前述したような構造のスピーカでは、磁気回路とダンパ３２との間の空間と外部とを連通する複数の通路６０がフレーム５０に形成されているので、各通路６０を通して流通する空気によってボイスコイル４１との電磁作用に起因して発熱する磁気回路およびボイスコイル４１自体の温度上昇が抑えられる。また、各通路６０を通して磁気回路とダンパ３２との間の空間と外部との間で空気が出入りするので、前記空間の圧力が下がり、ダンパ３２の動作（振動板３０の振動）が妨げられることが防止される。
【００２７】
また、前述した各通路６０では、磁気回路の一部となるトッププレート２１に切り欠き凹部２１ａが形成され、その切り欠き凹部２１ａを磁気回路で発生した磁束が通る。このため、各通路６０に鉄粉等の磁性材粉Ｆが外部から進入しても、その磁束により切り欠き凹部２１ａにその磁性材粉Ｆが集められ捕えられる。従って、その磁性材粉Ｆが各通路６０を通って磁気回路とダンパ３２との間の空間、さらには磁気ギャップＧに進入することが防止される。
【００２８】
特に、フレーム５０が鉄材等の磁性材料で形成されている場合、トッププレート２１に接合するその取り付け底部５１も磁気回路の一部として機能する。この場合、取り付け底部５１に切り欠き凹部２１ａに張出す張出し部５１ａが形成されているので、その張出し部５１ａに磁束が集中し、通路６０に進入した磁性材粉Ｆをより確実に切り欠き凹部２１ａに集めて捕えることができるようになる。
【００２９】
また、切り欠き凹部２１ａがトッププレート２１の傾斜面２１ｂに形成されているので、トッププレート２１にて生じる磁束が傾斜面２１ｂで飽和状態になり易く、切り欠き凹部２１ａにより高い密度の磁束を通すことが可能となる。これにより、より確実に磁性材粉Ｆを切り欠き凹部２１ａに集めて捕えることができるようになる。
【００３０】
なお、前述した例では、切り欠き凹部２１ａは、各通路６０（溝５６）のそれぞれに対して個別的に形成したが、トッププレート２１の傾斜面２１ｂをリング状に切り欠いて、切り欠き凹部２１ａを形成するようにしてもよい。
【００３１】
また、フレーム５０は合成樹脂やアルミニウム合金にて形成することも可能である。ただし、前述したように磁性材料で形成した場合のほうが、磁束を有効に利用できる点で好ましい。
【産業上の利用可能性】
【００３２】
以上、説明したように、本発明に係るスピーカは、フレームに形成された通路を通して磁気回路とダンパとの間の空間に磁性材粉が進入することをスピーカの音響特性を損なうことなく簡易な構造にて防止することができるという効果を有し、フレームに磁気回路とダンパとの間の空間と外部とを連通する通路が形成されたスピーカとして有用である。
【図面の簡単な説明】
【００３３】
【図１】本発明の実施の一形態に係るスピーカの構造を示す断面図である。
【図２】図１におけるＡ部を詳細に示す部分断面図である。
【符号の説明】
【００３４】
１０  ヨーク
１１  底部
１２  突出部
２０  磁石
２１  トッププレート
２１ａ  傾斜面
２１ｂ  切り欠き凹部
３０  振動板
３１  支持部材
３２  ダンパ
３３  ダストカバー
４０  ボイスコイルユニット
４１  ボイスコイル
４２  ボビン
５０  フレーム
５１  取り付け底部
５１ａ  張出し部
５２  筒状部
５３  ホーン部
５４  フランジ部
５５  孔
５６  溝
６０  通路
【図１】
0004453877.tif 000002
【図２】
0004453877.tif 000003